【手続補正書】
【提出日】平成27年5月7日(2015.5.7)
【手続補正１】
【補正対象書類名】特許請求の範囲
【補正対象項目名】全文
【補正方法】変更
【補正の内容】
【特許請求の範囲】
【請求項１】
内部内容物空洞を画定する本体を形成し、第１の縁部シールを形成する第１の対の対向する縁部分、第２の縁部シールを形成する第２の対の対向する縁部分、および前記第１の縁部シールから前記第２の縁部シールまで延びる長手方向シールを形成する第３の対の対向する縁部分を有する可撓性フィルムであって、
前記本体は前記長手方向シールを有する第１の側部分および前記第１の側部分のほぼ反対側の第２の側部分を有する可撓性フィルムと、
最初の破断時に前記内容物空洞への開口部を画定する前記第２の側部分で前記可撓性フィルム内に形成されたスコアと、
前記スコアおよび前記スコアの周囲の前記第２の側部分の一部を覆う閉鎖層と、
前記閉鎖層と前記可撓性フィルムの間に存在する再シール可能な接着剤とを備え、
前記第２の側部分上の前記閉鎖層を前記可撓性フィルムから少なくとも部分的に除去して前記スコアを引き裂き、開口部を形成することができることを特徴とするパッケージ。
【請求項２】
前記再シール可能な接着剤は前記閉鎖層と前記可撓性フィルムの間の所定の親和力を有して、前記閉鎖層を前記第２の側部分の一部から除去すると前記スコアが破断するようになされることを特徴とする請求項１に記載のパッケージ。
【請求項３】
前記閉鎖層は前記第１の縁部シールから前記第２の縁部シールまで前記長手方向シールに対してほぼ平行に延びることを特徴とする請求項１または２に記載のパッケージ。
【請求項４】
前記スコアは弓状であることを特徴とする請求項１から３のいずれかに記載のパッケージ。
【請求項５】
前記スコアは前記可撓性フィルムのさらなる破断に抵抗するように構成された１対の終端部を含むことを特徴とする請求項１から３のいずれかに記載のパッケージ。
【請求項６】
前記終端部は「スマイル（ｓｍｉｌｅｓ）」として構成されることを特徴とする請求項５に記載のパッケージ。
【請求項７】
前記閉鎖層は前記閉鎖層を前記第２の側部の少なくとも一部から除去するための粘着性のない把持部分を含むことを特徴とする請求項１から６のいずれかに記載のパッケージ。
【請求項８】
前記粘着性のない把持部分は前記再シール可能な接着剤上の抑制物を含むことを特徴とする請求項７に記載のパッケージ。
【請求項９】
前記粘着性のない把持部分は再シール可能な接着剤で前記閉鎖層自体に付着された前記閉鎖層の一部を含むことを特徴とする請求項７に記載のパッケージ。
【請求項１０】
前記粘着性のない把持部分に再シール可能な接着剤がないことを特徴とする請求項７に記載のパッケージ。
【請求項１１】
前記可撓性フィルムは積層構造を備えることを特徴とする請求項１から１０のいずれかに記載のパッケージ。
【請求項１２】
前記可撓性フィルムはポリエチレンテレフタレートおよび厚さ約１．５から２．５ミルを有する延伸ポリプロピレンの積層を備えることを特徴とする請求項１１に記載のパッケージ。
【請求項１３】
前記可撓性フィルムは厚さ約０．４から１．０ミルを有するポリエチレンテレフタレートおよび厚さ約０．６から１．２ミルを有する延伸ポリプロピレンの積層を備えることを特徴とする請求項１１に記載のパッケージ。
【請求項１４】
前記閉鎖層は厚さ約１．２ミルから５ミルを有する二軸延伸ポリプロピレンであることを特徴とする請求項１から１３のいずれかに記載のパッケージ。
【請求項１５】
前記フィルムの第３の縁部にガセットをさらに含むことを特徴とする請求項１から１４のいずれかに記載のパッケージ。
【請求項１６】
前記可撓性フィルム内で前記パッケージの前記第２の側部分に形成された前記スコアは前記第２の側部分の上半分にあり、前記第３の縁部は前記第２の側部分の下半分にあることを特徴とする請求項１５に記載のパッケージ。
【請求項１７】
前記ガセットは前記内部内容物空洞内に折り畳まれて前記第１の側部分および前記第２の側部分から前記パッケージの垂直中心に向かって内側に延びる２つの対向するガセット側部を形成する前記可撓性フィルムであることを特徴とする請求項１５に記載のパッケージ。
【請求項１８】
前記スコアは前記可撓性フィルムの厚さを部分的に通るように配置されることを特徴とする請求項１から１７のいずれかに記載のパッケージ。
【請求項１９】
前記スコアは前記可撓性フィルムの厚さ全体を通るように配置されることを特徴とする請求項１から１７のいずれかに記載のパッケージ。
【請求項２０】
前記再シール可能な接着剤は感圧接着剤であることを特徴とする請求項１から１９のいずれかに記載のパッケージ。
【請求項２１】
第１の側部シールから第２の側部シールまで延びる長手方向シールを形成する２つの対向する縁部分を有し、前記側部シールは前部パッケージパネルおよび後部パッケージパネルを形成し、前記長手方向シールは前記後部パネル上に配置される可撓性フィルムと、
最初の破断時にパッケージ開口部を画定する前記長手方向シールにほぼ平行に方向付けられた前記可撓性フィルムの前部パネル内のスコアと、
前記縁部分内で前記第１の側部シールから前記第２の側部シールまで前記スコアを覆って延びる細長い閉鎖層と、
前記可撓性フィルムと前記細長い閉鎖層の間に存在する再シール可能な接着剤とを備え、
前記細長い閉鎖層は前記細長い閉鎖層の少なくとも一部を前記可撓性フィルムから除去して前記パッケージ開口部を形成する粘着性のない把持部分を有し、
前記パッケージはパッケージ頂部、およびパッケージ底部を画定するガセットを形成するパッケージの内側に向けられた１対の折り目を画定する目隠し折り目を有することを特徴とする可撓性フィルムパッケージ。
【請求項２２】
前記フィルムはヒートシール可能なポリプロピレンに積層された共押出しポリプロピレンを含む印刷積層物であり、前記細長い閉鎖層はＢＯＰＰ二軸延伸ポリプロピレンであることを特徴とする請求項２１に記載のパッケージ。
【請求項２３】
実質的に対称の底部ガセットを有する垂直スタンドアップ式パウチ作製方法であって、
フィルムロールを引張するステップと、
前記フィルムロールの前記パッケージの内側に向けられた表面上に連続的にスコアを付けるステップと、
連続閉鎖層を再シール可能な接着剤を有する前記フィルムを覆って前記パッケージの外面上に積層するステップと、
製品送出室の周囲に前記フィルムを形成するステップと、
前記フィルムの対向する長手方向縁部をシールして長手方向シールを形成するステップと、
前記パッケージの底部に向けて前記フィルムにガセットを形成するステップと、
前記フィルムをシールしてパッケージ側部シールを作成するステップと、
前記パッケージ側部シールを切断して前記フィルムを分離するステップと、
前記製品送出室内に前記シールしていないフィルムに製品を供給するステップとを含むことを特徴とする方法。
【請求項２４】
前記フィルムに積層する前に前記再シール可能な接着剤の一部を抑制するステップをさらに含むことを特徴とする請求項２３に記載の方法。
【請求項２５】
前記長手方向シールはフィンシールであることを特徴とする請求項２３または２４に記載の方法。
【請求項２６】
前記フィルムをシールするステップは１対の加熱された往復動加熱バーによって前記フィルムの内面上にヒートシール可能な層を有するフィルムに行われることを特徴とする請求項２３から２５のいずれかに記載の方法。